【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
オンボード可能デバイスのＡＰモード動作中に前記オンボード可能デバイスから送信された信号を、アクセスポイント（ＡＰ）デバイスにおいて、検出することと、
前記オンボード可能デバイスに関連する識別子を、前記ＡＰデバイスが前記信号から外挿することと、
前記オンボード可能デバイスを認証するために、前記ＡＰデバイスからの前記識別子を管理エンティティに与えることと、
前記管理エンティティから、前記オンボード可能デバイスをオンボードすることに関連する管理通信を、前記ＡＰデバイスにおいて、受信することと、
前記管理通信に基づいて、前記オンボード可能デバイスが前記ＡＰデバイスを介してセキュアネットワークにアクセスすることを可能にすることと
を備える方法。
【請求項２】
前記管理通信が前記管理エンティティからの応答を備え、
前記応答が、前記オンボード可能デバイスをオンボードするための前記管理エンティティからの許可を含む場合、前記可能にすることが、前記セキュアネットワークへのアクセスを許可することを備え、
ここにおいて、前記識別子は、前記ＡＰモード動作中に前記オンボード可能デバイスによって送信されたサービスセット識別子（ＳＳＩＤ）であり、
前記応答が受信されるまで、前記オンボード可能デバイスと前記セキュアネットワークとの間で一時的接続を確立することをさらに備え、ここにおいて、前記一時的接続は、メディアアクセス制御（ＭＡＣ）フィルタ処理される、
請求項１に記載の方法。
【請求項３】
前記可能にすることが、Ｂｌｕｅｔｏｏｔｈ（登録商標）接続を介して前記オンボード可能デバイスに接続すること、または前記セキュアネットワークに関連するＷｉ−Ｆｉ（登録商標）証明書を前記オンボード可能デバイスに送信することのうちの少なくとも１つを備える、請求項１に記載の方法。
【請求項４】
オンボード可能デバイスをオンボードすることに関連する管理通信を、アクセスポイント（ＡＰ）デバイスにおいて、受信することと、前記管理通信は、前記オンボード可能デバイスとは異なるデバイスから発信される、
前記管理通信中に含まれるビデオ信号または画像のうちの少なくとも１つから前記オンボード可能デバイスに関連する識別子を、前記ＡＰデバイスが外挿することと、
前記識別子と、セキュアネットワークに関連するＷｉ−Ｆｉ証明書とを前記オンボード可能デバイスに送信することによって、前記オンボード可能デバイスが前記ＡＰデバイスを介して前記セキュアネットワークにアクセスすることを可能にすることと
を備える方法。
【請求項５】
前記識別子が、前記オンボード可能デバイスに関連するサービスセット識別子（ＳＳＩＤ）である、請求項４に記載の方法。
【請求項６】
前記外挿することが、前記管理通信中に含まれるバーコードまたはＱＲコード（登録商標）読取りに対応する受信データから前記識別子を外挿することを備える、請求項４に記載の方法。
【請求項７】
前記ＡＰデバイスに関連する識別子を備える信号を送信することをさらに備え、前記信号が、前記オンボード可能デバイスのＷｉ−Ｆｉモード動作中に前記オンボード可能デバイスによって検出可能である、請求項１に記載の方法。
【請求項８】
アクセスポイント（ＡＰ）デバイスであって、
オンボード可能デバイスのＡＰモード動作中に前記オンボード可能デバイスから送信された信号を検出するように構成された探索回路と、
前記オンボード可能デバイスに関連する識別子を前記信号から外挿するように構成された識別子回路と、
前記オンボード可能デバイスを認証するために、前記識別子を管理エンティティに与えるように構成された送信回路と、
前記管理エンティティから、前記オンボード可能デバイスをオンボードすることに関連する管理通信を受信するように構成された受信回路と、
前記管理通信に基づいて、前記オンボード可能デバイスが前記ＡＰデバイスを介してセキュアネットワークにアクセスすることを可能にするように構成されたネットワークアクセス回路と
を備えるアクセスポイントデバイス。
【請求項９】
アクセスポイント（ＡＰ）デバイスであって、
オンボード可能デバイスをオンボードすることに関連する管理通信を受信するように構成された受信回路と、前記管理通信は、前記オンボード可能デバイスとは異なるデバイスから発信される、
前記管理通信中に含まれるビデオ信号または画像のうちの少なくとも１つから前記オンボード可能デバイスに関連する識別子を外挿するように構成された識別子回路と、
前記管理通信に基づいて前記オンボード可能デバイスが前記ＡＰデバイスを介してセキュアネットワークにアクセスすることを可能にするように構成されたネットワークアクセス回路と、
前記識別子と、前記セキュアネットワークに関連するＷｉ−Ｆｉ証明書とを前記オンボード可能デバイスに送信するように構成された送信回路と
を備えるアクセスポイントデバイス。
【請求項１０】
オンボード可能デバイスであって、
前記オンボード可能デバイスがアクセスポイント（ＡＰ）モードで動作する間、アクセスポイント（ＡＰ）デバイスに、前記オンボード可能デバイスに関連する識別子を送信するように構成された送信回路と、
前記ＡＰデバイスを介してセキュアネットワークにアクセスすることに関連する証明書を受信するように構成された受信回路と、前記証明書が、前記ＡＰデバイスとワイヤレス通信する管理エンティティによる前記識別子の認証に応答して前記ＡＰデバイスから受信される、
前記証明書を利用することによって前記セキュアネットワークに接続するように構成されたネットワークインターフェース回路と
を備えるオンボード可能デバイス。
【請求項１１】
前記ネットワークインターフェース回路は、前記オンボード可能デバイスがＷｉ−Ｆｉモードで動作する間、ＡＰデバイス走査を実施するように構成された探索回路をさらに備え、ここにおいて、前記送信回路が、少なくとも１つのＡＰデバイスの検出に基づいて前記識別子の送信をトリガするように構成され、ここにおいて、前記ネットワークインターフェース回路は、前記ＡＰデバイスが唯一の検出されたＡＰデバイスである場合、前記ＡＰデバイスに接続するように構成され、前記ネットワークインターフェース回路は、複数の検出されたＡＰデバイスから前記ＡＰデバイスを選択するように構成された選択回路をさらに備える、請求項１０に記載のオンボード可能デバイス。
【請求項１２】
前記選択回路は、前記複数の検出されたＡＰデバイスのうちの少なくとも１つがしきい値距離内にあるかどうかを決定するように構成され、および／または
前記選択回路は、前記複数の検出されたＡＰデバイスのうちの少なくとも１つに関連するＡＰデバイスタイプを確認するように構成される、
請求項１１に記載のオンボード可能デバイス。
【請求項１３】
前記選択回路が、前記複数の検出されたＡＰデバイスのうちの前記少なくとも１つによって送信された信号からＡＰデバイスタイプ識別子を外挿するように構成された、請求項１１に記載のオンボード可能デバイス。
【請求項１４】
前記受信回路が、オンボード可能デバイス識別子を受信するように構成され、ここにおいて、前記ネットワークインターフェース回路は、前記オンボード可能デバイス識別子が内部に記憶された識別子に一致するかどうかに基づいて、前記証明書を利用することによって前記セキュアネットワークに接続するように構成された、請求項１０に記載のオンボード可能デバイス。
【請求項１５】
前記ネットワークインターフェース回路は、前記ＡＰモードからリブートし、前記セキュアネットワークに接続するために前記証明書を利用するようにさらに構成された、請求項１０に記載のオンボード可能デバイス。